(57)【要約】【課題】  木質柱が揺振力でひび割れや座屈を起こすのを阻止し，かつ経年変化で縮径または拡径したときにも対応できる木造建築物における接合緊締用金具。【解決手段】  起立板１０に柱用芯板１を挟んで平行に対向する柱用押当板ｄを備え，鋼材製の楔受け片ｅ，ｅ′が，柱用芯板１の切込み空処１４と１４′に臨み，木材製の楔片ｆ，ｆ′が，上記起立板１０および柱用押当板ｄの窓孔１５，１５′を通じ，かつ，該楔片ｆ，ｆ′の傾斜面をなす上面１７，１７′を上記楔受け片ｅ，ｅ′の傾斜下面１６，１６′に沿わせながら，上記切込み空処１４，１４′に打設挿入することができ，上記柱用芯板１のボルト孔１９，１９′に貫通する貫通ボルトｃ，ｃとそのナットｃ′，ｃ′を備えてなる木造建築物における柱脚構造用金具。【選択図】  図１
2007218042.tif 000002
【特許請求の範囲】
【請求項１】
ア．  内部を補強用の仕切り板（６）により仕切った鋼材製で角形短筒体をなす柱支持台（ａ）に，その天板（２）の上面中央に上記仕切り板（６）と対応一致させて起立した柱用芯板（１）と，その柱用芯板（１）の一側端面に当接しかつ天板（２）の一側辺縁部に起立した起立板（１０）とからなる柱受枠（ｂ）を一体に設け，
イ．  上記天板（２）の他側辺縁部において上記柱用芯板（１）の他側端面にボルトとナットによって脱着自在に取り付けられ，上記起立板（１０）に柱用芯板（１）を挟んで平行に対向し，これら起立板（１０）および柱用芯板（１）とで平面工の字形をなす柱用押当板（ｄ）を備え，
ウ．  上記柱用芯板（１）は，上記起立板（１０）側および柱用押当板（ｄ）側の両端縁に切込み空処（１４，１４′）を設け，その切込み空処（１４，１４′）を，上記起立板（１０）および柱用押当板（ｄ）の窓孔（１５，１５′）と連通する関係にし，
エ．  鋼材製の楔受け片（ｅ）が，上記切込み空処（１４）と窓孔（１５）の内側に溶接等により取り付けられ，それの傾斜下面（１６）を切込み空処（１４）の内奥に向かって下降する状態をなし，
オ．  鋼材製の楔受け片（ｅ′）が，上記柱用押当板（ｄ）の窓孔（１５′）に溶接等により取り付けられ，それの傾斜下面（１６′）を上記切込み空処（１４′）の内奥に向かって下降する状態にでき，
カ．  木材製の楔片（ｆ，ｆ′）が，上記起立板（１０）および柱用押当板（ｄ）の窓孔（１５，１５′）を通じ，かつ，該楔片（ｆ，ｆ′）の傾斜面をなす上面（１７，１７′）を上記楔受け片（ｅ，ｅ′）の傾斜下面（１６，１６′）に沿わせながら，上記切込み空処（１４，１４′）と拡幅部（２３，２３′）に打設挿入することができ，
キ．  上記柱用芯板（１）のボルト孔（１９，１９′）に貫通する貫通ボルト（ｃ，ｃ）とそのナット（ｃ′，ｃ′）を備えてなることを特徴とする柱脚構造用金具。
【請求項２】
ア．  木質柱（Ｃ）が，その下端部の中央に，上記柱脚構造用金具の柱受枠（ｂ）の柱用芯板（１）を受入する縦設溝（２０）を形成するとともに，外周の対向両側面にそれぞれ上記起立板（１０），柱用押当板（ｄ）を受入する切欠段部（２１，２２）を形成し，かつ，上記縦設溝（２０）は，柱用芯板（１）の切込み空処（１４，１４′）と対向一致する部分を拡幅部（２３，２３′）とし，さらに，上記下端部の中央であって上記拡幅部（２３）と（２３′）との間に，上記ボルト孔（１９，１９′）と一致するボルト用長孔（２４，２４′）を貫通し，
イ．  その木質柱（Ｃ）の下端部と上記柱受枠（ｂ）とが，柱受枠（ｂ）の柱用芯板（１）と起立板（１０）を，木質柱（Ｃ）の縦設溝（２０）と切欠段部（２１）に挿入あるいは嵌合し，
ウ．  上記柱用押当板（ｄ）を上記切欠段部（２２）に嵌入し，ナット（１３・ ・ ・）により上記柱用芯板（１）の端面に取り付け，
エ．  鋼材製の楔受け片（ｅ）が，上記柱用芯板（１）の切込み空処（１４）と起立板（１０）の窓孔（１５）の内側に溶接等により取り付けられ，それの傾斜下面（１６）を切込み空処（１４）の内奥に向かって下降する状態をなし，
オ．  鋼材製の楔受け片（ｅ′）が，上記柱用押当板（ｄ）の窓孔（１５′）に溶接等により取り付けられ，それの傾斜下面（１６′）を上記柱用芯板（１）の切込み空処（１４′）の内奥に向かって下降する状態をなし，
カ．  楔片（ｆ，ｆ′）が，上記起立板（１０）および柱用押当板（ｄ）の窓孔（１５，１５′）を通じ，かつ，該楔片（ｆ，ｆ′）の傾斜面をなす上面（１７，１７′）を上記楔受け片（ｅ，ｅ′）の傾斜下面（１６，１６′）に沿わせながら，上記切込み空処（１４，１４′）と拡幅部（２３，２３′）に打設挿入し，これにより，木質柱（Ｃ）の下端部の底面を上記天板（２）の上面に強固に密接し，
キ．  木質柱（Ｃ）のボルト用長孔（２４，２４′）と柱用芯板（１）の上記ボルト孔（１９，１９′）に，貫通ボルト（ｃ，ｃ）を貫通ナット（ｃ′，ｃ′）により緊締していることを特徴とする木造建築物における柱脚構造。
【請求項３】
ア．  底板（２５）の一側の端縁（２５′）を残した内方部位に柱用押当板（２６）を設立してなるＬ形枠（２７）の内方中央において上記底板（２５）と柱用押当板（２６）との間に梁用芯板（２８）を設立支持するとともに，上記Ｌ形枠（２７）の外方中央において上記端縁（２５′）と柱用押当板（２６）との間に柱用芯板（２９）を設立支持してなる鋼材製の金具本体（ｇ）と，梁用当接板（ｈ）と，柱用押当板（ｉ）と，貫通ボルト（ｊ，ｊ）と，楔受け片（ｋ，ｋ′）および楔片（ｌ，ｌ′）等からなり，
イ．  上記金具本体（ｇ）は，上記梁用芯板（２８）の上端縁に切込み空処（３０）を形成するとともに，同梁用芯板（２８）の下縁には上記底板（２５）に設けた窓孔（３１）と連通する切込み空処（３２）を形成し，その梁用芯板（２８）の中央部にボルト孔（３３，３３）を設け，かつ，該梁用芯板（２８）の上端面に縦設ボルト（３４・ ・ ・）を植立し，
ウ．  上記金具本体（ｇ）は，上記梁用芯板（２８）の上端縁中央に切込み空処（３０）を形成するとともに，同梁用芯板（２８）の下縁中央には上記底板（２５）に設けた窓孔（３１）と連通する状態にした切込み空処（３２）形成し，
エ．  上記梁用当接板（ｈ）は，上記切込み空処（３０）と連通する窓孔（３６）を備えるとともに，上記縦設ボルト（３４・ ・ ・）に嵌合するこ透孔（３７・ ・ ・）を開設し，
オ．  上記柱用押当板（ｉ）は，上記柱用芯板（２９）の端面の横設ボルト（３５・・・）に嵌合する透孔（３８・ ・ ・）を列設し，
カ）  楔受け片（ｋ）は，上記底板（２５）の窓孔（３１）と上記梁用芯板（２８）の切込み空処（３２）にわたって縦設した鋼材製で楔受け片で，垂直面と傾斜面（４２）を有し，その垂直面を窓孔（３１）と切込み空処（３２）の一側（上記柱用押当板（２６）とは反対側）内面に溶接等により取り付け，傾斜面（４２）を内方（上記柱用押当板（２６）側）に向け，
キ．  楔受け片（ｋ′）は，上記梁用当接板（ｈ）の窓孔（３６）に縦設した鋼材製で楔受け片で，それは，垂直面と傾斜面（４３）を有し，その垂直面を窓孔（３６）の一側（上記柱用押当板（２６）とは反対側）内面に溶接等に取り付け，傾斜面（４３）を内方（上記柱用押当板（２６）側）に向け，
ク．  楔片（ｌ，ｌ′）は木材製で，これら楔片（ｌ，ｌ′）は，上記楔受け片（ｋ，ｋ）を裏返しした形状をなし，一側面（４４，４４′）を傾斜面，他側面（４５，４５′）を垂直面としていることを特徴とする木造建築物における柱・梁接合構造用金具。
【請求項４】
ア．  木質柱（Ｃ）が，木質梁（Ｇ）を接合する部分（４６）の中央内部に，上記柱・梁接合構造用金具の上記柱用芯板（２９）を受入する縦設溝（４７）を形成するともに，上記部分（４６）の外周面に，上記縦設溝（４７）の前後両端開口に連続する角形凹処（４８，４９）を形成し，上記角形凹処（４８）の下辺部分に横溝（４８′）を連続形成し，
イ．  木質梁（Ｇ）が，上記木質柱（Ｃ）に接合する端部（５０）の中央内部に，上記柱・梁接合構造用金具の梁用芯板（２８）を受入する縦設溝（５１）を形成するとともに，上記端部（５０）の上面と下面に縦設溝（５１）の上下両開口に連続する角形凹処（５２，５３）を形成し，上記角形凹処（５２）に連続する縦設溝（５１）の拡幅部（５４）を備えるとともに，上記角形凹処（５３）に連続する縦設溝（５１）の拡幅部（５５）を備え，かつ，これら拡幅部（５４）と（５５）との間に縦設溝（５１）を横断するボルト用長孔（５６，５６）を横設貫通させ，
ウ．  上記柱・梁接合構造用金具の金具本体（ｇ）の柱用芯板（２９）を木質柱（Ｃ）の縦設溝（４７）に受入させ，横設ボルト（３５・ ・ ・）を角形凹処（４９）に突出させ，かつ，柱用押当板（２６）を角形凹処（４８）に嵌入するとともに，底板（２５）の端縁（２５′）を横溝（４８′）に嵌入し，柱・梁接合構造用金具の上記柱用押当板（ｉ）を上記角形凹処（４９）に嵌入し，透孔（３８・ ・ ・）から突出する横設ボルト（３５・ ・ ・）にナット（４０・ ・ ・）を螺合緊締することによって，上記柱・梁接合構造用金具を木質柱（Ｃ）の所定位置に取り付け，
エ．  上記柱・梁接合構造用金具の金具本体（ｇ）の梁用芯板（２８）に木質梁（Ｇ）の端部（５０）の上記縦設溝（５１）を嵌合させ，該端部（５０）の底面の角形凹処（５３）を上記金具本体（ｇ）の底板（２５）に嵌合し，かつ，上記梁用芯板（２８）の上記縦設ボルト（３４・ ・ ・）を，上記縦設溝（５１）に連続する上記角形凹処（５２）を通じその上方に突出させるとともに，上記端部（５０）の縦設溝（５１）の拡幅部（５４，５５）を金具本体（ｇ）の梁用芯板（２８）の切込み空処（３０，３２）に一致連通させ，かつ，ボルト用長孔（５６，５６）を梁用芯板（２８）のボルト孔（３３，３３）に一致連通させ，
オ．  鋼材製の楔受け片（ｋ′）を上記拡幅部（５４）および切込み空処（３０）に差し込みながら切欠段部（５２）に嵌合し，透孔（３７・ ・ ・）から突出した縦設ボルト（３４・ ・ ・）にナット（３９・ ・ ・）を螺合緊締することにより，梁用当接板（ｈ）を切欠段部（５２）に嵌着し，
カ．  これによって，上記楔受け片（ｋ′）を上記拡幅部（５４）および切込み空処（３０）内に位置させるとともに，上記切込み空処（３２）に取り付けられている同じく鋼材製の楔受け片（ｋ）を上記拡幅部（５５）内に位置させ，
キ．  木材製の楔片（ｌ，ｌ′）を，上記底板（２５）および梁用当接板（ｈ）の窓孔（３１）および窓孔（３６）を通じ，かつ，該楔片（ｌ，ｌ′）の傾斜面（４４，４４′）を上記楔受け片（ｋ，ｋ′）の傾斜面（４２，４３）に沿わせて上記切込み空処（３０，３２）と拡幅部（５４，５５）に打設挿入し，これにより，木質柱（Ｃ）の対向側面に木質梁（Ｇ）の端部（５０）を密接させ，
ク．  木質柱（Ｇ）のボルト用長孔（５６，５６）と梁用芯板（２８）のボルト孔（３３，３３）に，貫通ボルト（ｊ，ｊ）を貫通しナット（４１，４１）により緊締していることを特徴とする木造建築物における柱・梁接合構造。
【請求項５】
請求項１記載の柱脚構造用金具（Ａ）と請求項３記載の柱・梁接合構造用金具（Ｅ）とからなることを特徴とする木造建築物における接合緊締用金具。
【請求項６】
請求項２記載の木造建築物における柱脚構造（Ｄ）と請求項４記載の木造建築物における柱・梁接合構造（Ｆ）とからなることを特徴とする木造建築物における接合緊締構造。
【発明の詳細な説明】
【技術分野】
【０００１】
本発明は，木造建築物における接合緊締構造とその金具，柱脚構造とその金具，および柱・梁接合構造とその金具に関する。
【背景技術】
【０００２】
木造建築物において二つの木質材を繋ぎ合わせる接合部分としては，柱と土台との接合部分，柱と梁（桁）との接合部分等があるが，これらの接合部分をどのような接合緊締用金具を使用し，どのような接合緊締構造とするかについて，既に様々なものが提案されている。
【０００３】
柱と土台の接合部分を例にみると，上面に芯板を直立した鋼材製の柱支持台を布基礎上にアンカーボルトで固定し，柱を，その下端部に掘削形成してある嵌合溝を上記芯板に嵌合した状態で上記柱支持台上に設立させ，ドリフトピンまたはボルト・ナットにより，その柱の下端部と芯板とを結合固定した構成のもの（特許文献１〜３）等がある。
【０００４】
また，柱と梁の接合部分を例にみると，柱の側面に所要の形状にした接合金具主体を固定するとともに，その接合金具主体に梁の端部を嵌合し，かつこれら接合金具主体と梁との間に楔片を打ち込むことにより，梁の全体を柱側に移動させ，その柱の側面に圧接緊締状態にするもの（特許文献４）や，上記接合金具主体の中央窓孔内に植設したボルトに螺合してあるナットを，そのボルトの先端側に螺進することにより梁全体を柱側に移動させ，その柱の側面に圧接緊締状態にするもの（特許文献５）等がある。
【０００５】
【特許文献１】特開２００１−１０７４５６号公報
【特許文献２】特開２００３−２１３８０３号公報
【特許文献３】特開平９−３１０４１３号公報
【特許文献４】実開平３−８２７０３号公報
【特許文献５】実開平３−９２２０１号公報
【発明の開示】
【発明が解決しようとする課題】
【０００６】
しかしながら，上記柱と土台の接合部分の接合緊締構造（柱脚構造）は，全体として剛体構造をなし，柱を柱支持台上に強固に設立しているとはいえ，地震等による揺振力が上記芯板の長さ方向に作用したときに比べ，厚さ方向に作用したときは脆弱であり，また，地震等による揺振力は，当然ながら，上記芯板の長さ方向や厚さ方向に常に直角に作用するとは限らず，これら両方向とは異なるあらゆる方向から作用する可能性があるが，そのようなときにはねじれ現象が起きることになる。
【０００７】
しかも，上記の揺振力が作用した場合，柱支持台と布基礎とは，その固定関係を損なうことは少ないとしても，柱は上記芯板および柱支持台との間にねじれ現象を起こし，その大きさや反復回数等により，ひび割れしたり座屈したりするおそれがある。
【０００８】
また，上記柱と梁の接合緊締構造において，楔片を打ち込んで緊締するタイプの接合構造では，柱と梁の必要にして十分な緊締強度は，楔片の適度な打ち込み度合（あるいは深さ）によってもたらされ，それが不足であっても過剰であってもならないものであるが，それは専ら熟練者の勘に頼りながら定性的に把握されているにすぎないのに対し，上記ナットをボルトの先端側に螺進して緊締するタイプの接合緊締構造は，その構造の緊締強度を定量的に把握でき，構築管理等を合理的に行えるという利点がある。
【０００９】
しかし、上記のようにナットをボルトの先端側に螺進することによる緊締は，その最終緊締位置がボルトの先端に近いほど，ボルトの根元に作用させる剪断力を大にする。また，木材の乾燥や振動に起因してボルトによる緊締が緩んだ場合には，当該ナットをさらに螺進して緊締しなおさない限り，緩んだままで放置されることになり，特に地震対策上好ましくないものである。
【００１０】
本発明の目的の一つは，このナットをボルトの先端側に螺進して緊締するタイプの接合緊締構造の改良に関し，上記欠点を解消することにある。
【００１１】
一般に梁や柱は，それが丸太からの製材であるとき当初含水率約３０％を経年低下させて縮径し，集成材であるとき当初含水率約７％を経年増加させて拡径するが，このような経年変化にともなう梁と柱の接合部の接合度合の変化，柱と柱支持台またはその上面の芯板との間の嵌合度または密着度の変化に，上記従来公知の構造のものでは対応しきれない。
【００１２】
本発明の他の目的は，第１に，従来に比べ梁と柱の接合度合，また，柱支持台と柱との結合固定を一層強固にすること，第２に，地震等による揺振力が何れの方向から作用した場合においても，梁や柱がひび割れや座屈を起こすのを阻止すること，第３に，柱が経年変化で縮径または拡径した場合には，梁や柱の結合固定関係を最も適切な状態に追従維持することができるようにすることにある。
【課題を解決するための手段】
【００１３】
請求項１記載の本発明の構成は，次のとおりである。
ア）  内部を補強用の仕切り板６により仕切った鋼材製で角形短筒体をなす柱支持台ａに，その天板２の上面中央に上記仕切り板６と対応一致させて起立した柱用芯板１と，その柱用芯板１の一側端面に当接しかつ天板２の一側辺縁部に起立した起立板１０とからなる柱受枠ｂを一体に設けている。
イ）  上記天板２の他側辺縁部において上記柱用芯板１の他側端面にボルトとナットによって脱着自在に取り付けられ，上記起立板１０に柱用芯板１を挟んで平行に対向し，これら起立板１０および柱用芯板１とで平面工の字形をなす柱用押当板ｄを備えている。
ウ）  上記柱用芯板１は，上記起立板１０側および柱用押当板ｄ側の両端縁に切込み空処１４，１４′を設け，その切込み空処１４，１４′を，上記起立板１０および柱用押当板ｄの窓孔１５，１５′と連通する関係にしている。
エ）  鋼材製の楔受け片ｅが，上記切込み空処１４と窓孔１５の内側に溶接等により取り付けられ，それの傾斜下面１６を切込み空処１４の内奥に向かって下降する状態をなしている。
オ）  鋼材製の楔受け片ｅ′が，上記柱用押当板ｄの窓孔１５′に溶接等により取り付けられ，それの傾斜下面１６′を上記切込み空処１４′の内奥に向かって下降する状態にすることができるようになっている。
カ）  木材製の楔片ｆ，ｆ′が，上記起立板１０および柱用押当板ｄの窓孔１５，１５′を通じ，かつ，該楔片ｆ，ｆ′の傾斜面をなす上面１７，１７′を上記楔受け片ｅ，ｅ′の傾斜下面１６，１６′に沿わせながら，上記切込み空処１４，１４′と拡幅部２３，２３′に打設挿入することができるようになっている。
キ）  上記柱用芯板１のボルト孔１９，１９′に貫通する貫通ボルトｃ，ｃとそのナットｃ′，ｃ′を備えてなることを特徴とする柱脚構造用金具。
【００１４】
請求項２記載の本発明の構成は，次のとおりである。
ア）  木質柱Ｃが，その下端部の中央に，上記請求項１に係る柱脚構造用金具の柱受枠ｂの柱用芯板１を受入する縦設溝２０を形成するとともに，外周の対向両側面にそれぞれ上記起立板１０，柱用押当板ｄを受入する切欠段部２１，２２を形成し，かつ，上記縦設溝２０は，柱用芯板１の切込み空処１４，１４′と対向一致する部分を拡幅部２３，２３′とし，さらに，上記下端部の中央であって上記拡幅部２３と２３′との間に，上記ボルト孔１９，１９′と一致するボルト用長孔２４，２４′を貫通させている。
イ）  その木質柱Ｃの下端部と上記柱受枠ｂとが，柱受枠ｂの柱用芯板１と起立板１０を，木質柱Ｃの縦設溝２０と切欠段部２１に挿入あるいは嵌合している。
ウ）  上記柱用押当板ｄを上記切欠段部２２に嵌入し，ナット１３・・・により上記柱用芯板１の端面に取り付けている。
エ）  鋼材製の楔受け片ｅが，上記柱用芯板１の切込み空処１４と起立板１０の窓孔１５の内側に溶接等により取り付けられ，それの傾斜下面１６を切込み空処１４の内奥に向かって下降する状態をなしている。
オ）  鋼材製の楔受け片ｅ′が，上記柱用押当板ｄの窓孔１５′に溶接等により取り付けられ，それの傾斜下面１６′を上記柱用芯板１の切込み空処１４′の内奥に向かって下降する状態をなしている。
カ）  木材製の楔片ｆ，ｆ′が，上記起立板１０および柱用押当板ｄの窓孔１５，１５′を通じ，かつ，該楔片ｆ，ｆ′の傾斜面をなす上面１７，１７′を上記楔受け片ｅ，ｅ′の傾斜下面１６，１６′に沿わせながら，上記切込み空処１４，１４′と拡幅部２３，２３′に打設挿入し，これにより，木質柱Ｃの下端部の底面を上記天板２の上面に強固に密接している。
キ）  木質柱Ｃのボルト用長孔２４，２４′と柱用芯板１の上記ボルト孔１９，１９′に，貫通ボルトｃ，ｃを貫通ナットｃ′，ｃ′により緊締していることを特徴とする木造建築物における柱脚構造。
【００１５】
請求項３記載の本発明の構成は，次のとおりである。
ア）  底板２５の一側の端縁２５′を残した内方部位に柱用押当板２６を設立してなるＬ形枠２７の内方中央において上記底板２５と柱用押当板２６との間に梁用芯板２８を設立支持するとともに，上記Ｌ形枠２７の外方中央において上記端縁２５′と柱用押当板２６との間に柱用芯板２９を設立支持してなる鋼材製の金具本体ｇと，梁用当接板ｈと，柱用押当板ｉと，貫通ボルトｊ，ｊと，鋼材製の楔受け片ｋ，ｋ′および木材製の楔片ｌ，ｌ′等からなる。
イ）  上記金具本体ｇは，上記梁用芯板２８の上端縁に切込み空処３０を形成するとともに，同梁用芯板２８の下縁には上記底板２５に設けた窓孔３１と連通する切込み空処３２を形成し，その梁用芯板２８の中央部にボルト孔３３，３３を設け，かつ，該梁用芯板２８の上端面に縦設ボルト３４・ ・ ・を植立している。
ウ）  上記金具本体ｇは，上記梁用芯板２８の上端縁中央に切込み空処３０を形成するとともに，同梁用芯板２８の下縁中央には上記底板２５に設けた窓孔３１と連通する状態にした切込み空処３２形成している。
エ）  上記梁用当接板ｈは，上記切込み空処３０と連通する窓孔３６を備えるとともに，上記縦設ボルト３４・ ・ ・に嵌合するこ透孔３７・ ・ ・を開設している。オ）  上記柱用押当板ｉは，上記柱用芯板２９の端面の横設ボルト３５・・・に嵌合する透孔３８・ ・ ・を列設している。
カ）  上記鋼材製の楔受け片ｋは，上記底板２５の窓孔３１と上記梁用芯板２８の切込み空処３２にわたって縦設され，垂直面と傾斜面４２を有し，その垂直面を窓孔３１と切込み空処３２の一側（上記柱用押当板２６とは反対側）内面に溶接等により取り付けられ，傾斜面４２を内方（上記柱用押当板２６側）に向けている。
キ）  上記鋼材製の楔受け片ｋ′は，上記梁用当接板ｈの窓孔３６に縦設され，垂直面と傾斜面４３を有し，その垂直面を窓孔３６の一側（上記柱用押当板２６とは反対側）内面に溶接等により取り付けられ，傾斜面４３を内方（上記柱用押当板２６側）に向けている。
ク）  上記木材製の楔片ｌ，ｌ′は，上記楔受け片ｋ，ｋを裏返しした形状をなし，一側面４４，４４′を傾斜面，他側面４５，４５′を垂直面としていることを特徴とする木造建築物における柱・梁接合構造用金具。
【００１６】
請求項４記載の本発明の構成は，次のとおりである。
ア）  木質柱Ｃが，木質梁Ｇを接合する部分４６の中央内部に，上記請求項３に係る柱・梁接合構造用金具の上記柱用芯板２９を受入する縦設溝４７を形成するともに，上記部分４６の外周面に，上記縦設溝４７の前後両端開口に連続する角形凹処４８，４９を形成し，上記角形凹処４８の下辺部分に横溝４８′を連続形成している。
イ）  木質梁Ｇが，上記木質柱Ｃに接合する端部５０の中央内部に，上記柱・梁接合構造用金具の梁用芯板２８を受入する縦設溝５１を形成するとともに，上記端部５０の上面と下面に縦設溝５１の上下両開口に連続する角形凹処５２，５３を形成し，上記角形凹処５２に連続する縦設溝５１の拡幅部５４を備えるとともに，上記角形凹処５３に連続する縦設溝５１の拡幅部５５を備え，かつ，これら拡幅部５４と５５との間に縦設溝５１を横断するボルト用長孔５６，５６を横設貫通させている。
ウ）  上記柱・梁接合構造用金具の金具本体ｇの柱用芯板２９を木質柱Ｃの縦設溝４７に受入させ，横設ボルト３５・ ・ ・を角形凹処４９に突出させ，かつ，柱用押当板２６を角形凹処４８に嵌入するとともに，底板２５の端縁２５′を横溝４８′に嵌入し，上記柱・梁接合構造用金具の上記柱用押当板ｉを上記角形凹処４９に嵌入し，透孔３８・ ・ ・から突出する横設ボルト３５・ ・ ・にナット４０・ ・ ・を螺合緊締することによって，上記柱・梁接合構造用金具を木質柱Ｃの所定位置に取り付けている。
エ）  上記柱・梁接合構造用金具の金具本体ｇの梁用芯板２８に木質梁Ｇの端部５０の上記縦設溝５１を嵌合させるとともに，該端部５０の底面の角形凹処５３を上記金具本体ｇの底板２５に嵌合し，かつ，上記梁用芯板２８の上記縦設ボルト３４・ ・ ・を，上記縦設溝５１に連続する上記角形凹処５２を通じその上方に突出させるとともに，上記端部５０の縦設溝５１の拡幅部５４，５５を金具本体ｇの梁用芯板２８の切込み空処３０，３２に一致連通させ，かつ，ボルト用長孔５６，５６を梁用芯板２８のボルト孔３３，３３に一致連通させている。
オ）  上記楔受け片ｋ′を上記拡幅部５４および切込み空処３０に差し込みながら切欠段部５２に嵌合し，透孔３７・ ・ ・から突出した縦設ボルト３４・ ・ ・にナット３９・ ・ ・を螺合緊締することにより，梁用当接板ｈを切欠段部５２に嵌着している。
カ）  これによって，鋼材製の楔受け片ｋ′を上記拡幅部５４および切込み空処３０内に位置させるとともに，上記切込み空処３２に取り付けられている同じく鋼材製の楔受け片ｋを上記拡幅部５５内に位置させている。
キ）  上記木材製の楔片ｌ，ｌ′を，上記底板２５および梁用当接板ｈの窓孔３１および窓孔３６を通じ，かつ，該楔片ｌ，ｌ′の傾斜面４４，４４′を上記楔受け片ｋ，ｋ′の傾斜面４２，４３に沿わせて上記切込み空処３０，３２，と拡幅部５４，５５に打設挿入し，これにより，木質柱Ｃの対向側面に木質梁Ｇの端部５０を密接させている。
ク）  木質柱Ｇのボルト用長孔５６，５６と梁用芯板２８のボルト孔３３，３３に，貫通ボルトｊ，ｊを貫通しナット４１，４１により緊締していることを特徴とする木造建築物における柱・梁接合構造。
【００１７】
請求項５記載の本発明は，請求項１記載の柱脚構造用金具Ａと請求項３記載の柱・梁接合構造用金具Ｅとからなることを特徴とする木造建築物における接合緊締用金具である。
【００１８】
請求項６記載の本発明は，請求項２記載の木造建築物における柱脚構造Ｄと請求項４記載の木造建築物における柱・梁接合構造Ｆとからなることを特徴とする木造建築物における接合緊締構造である。
【発明の効果】
【００１９】
本発明によれば，従来に比べ梁と柱の接合度合，また，柱支持台と柱との結合固定を一層強固にし，また，地震等による揺振力が何れの方向から作用した場合においても，梁や柱がひび割れや座屈を起こすのを阻止すること，さらには，柱が経年変化で縮径または拡径した場合には，梁や柱の結合固定関係を最も適切な状態に追従維持することができる。
【発明を実施するための最良の形態】
【００２０】
以下に図示の実施例について詳述する。
【実施例】
【００２１】
以下に本発明の実施例を図面を参照しながら詳述する。
図１〜７は，木造建築物における柱と土台の接合部分である柱脚構造とその柱脚構造用金具を示している。
【００２２】
Ａは柱脚構造用金具で，概括的には，布基礎Ｂ上に乗載固定する鋼材製の柱支持台ａと，これと一体な同じく鋼材製の柱受枠ｂと，この柱受枠ｂの柱用芯板１と木質柱Ｃの下端部とを貫通緊締する貫通ボルトｃ，ｃと，上記柱用芯板１の端面に取外し自在に取り付ける柱用押当板ｄとからなる。
【００２３】
上記柱脚構造用金具Ａにより木質柱Ｃを起立支持した構造が柱脚構造Ｄで，その詳細を，上記柱支持台ａ，柱受枠ｂ等の構成とともに具体的に説明すると次のとおりである。
【００２４】
鋼材製の上記柱支持台ａは，各々正方形状の天板２，底板３および外側板４，５で形成された角形短筒体内を補強用の仕切り板６により２分してなる。
この柱支持台ａは，布基礎Ｂに植設したアンカーボルト７，７（一方のみ図示）を上記底板３のボルト孔８，８を通じ突出させ，その突出端部にナット９，９を螺合緊締することにより，布基礎Ｂ上に固定される（図６，７，１５）。
【００２５】
鋼材製の上記柱受枠ｂは，柱支持台ａの天板２の上面中央に上記仕切り板６と対応一致させて起立した，上記天板２等と同大の正方形状をなす柱用芯板１と，この柱用芯板１の一側端面に当接するとともに天板２の一側辺縁部に起立した，同じく同大の正方形状をなす起立板１０とからなり，天板２の他側辺縁部において柱用芯板１の端面に同じく同大の正方形状をなす柱用押当板ｄを脱着自在に取り付け，上記起立板１０に柱用芯板１を挟んで平行に対向させることができるようにしてなる。
【００２６】
その柱用押当板ｄは，柱用芯板１の端面に突設した複数本の横ボルト１１・・・にボルト孔１２・・・を嵌め，ナット１３で緊締することにより，柱用芯板１の端面に脱着自在に取り付けられる。
これによって，柱受枠ｂの柱用芯板１および起立板１０と上記柱用押当板ｄが，平面工の字形をなす。
【００２７】
１４，１４′は，柱用芯板１の両側端面（起立板１０および柱用押当板ｄ側の端縁）に開設した切込み空処で，起立板１０および柱用押当板ｄの中央に開設の窓孔１５，１５′と連通する関係になっている。
【００２８】
ｅは上記切込み空処１４と窓孔１５にわたって取り付けた鋼材製で平面方形の楔受け片で，それは，水平な上面を切込み空処１４と窓孔１５の内側上部に溶接等により取り付け，傾斜下面１６が切込み空処１４の内奥に向かって下降する状態をなしている。
【００２９】
ｅ′は，上記柱用押当板ｄの窓孔１５′に溶接等により取り付けた同じく鋼材製で平面方形の楔受け片である。すなわち，楔受け片ｅ′は，水平な上面の外端を窓孔１５′の内側上部に取り付け，傾斜下面１６′が上記切込み空処１４′の内奥に向かって下降する状態にしている。
【００３０】
ｆ，ｆ′は木材製の楔片で，これら楔片ｆ，ｆ′は，上記楔受け片ｅ，ｅ′を裏返しした形状をなし，上面１７，１７′を傾斜面，下面１８，１８′を水平面としている。
【００３１】
また，１９，１９′は上記切込み空処１４と１４′との間の部分に設けたボルト孔である。
【００３２】
次に，木質柱Ｃの下端部は，その中央に，柱受枠ｂの柱用芯板１を受入する縦設溝２０を掘削形成するとともに，外周の対向両側面にそれぞれ上記起立板１０，柱用押当板ｄを受入する切欠段部２１，２２を，上記縦設溝２０に連通する状態にして形成し，かつ，その縦設溝２０は，柱用芯板１の切込み空処１４，１４′と対向一致する部分を拡幅部２３，２３′とし，さらに，木質柱Ｃの下端部の中央であって拡幅部２３，２３′の間には，上記ボルト孔１９，１９′と一致することになるボルト用長孔２４，２４′を，縦設溝２０を横断する状態にして貫通させている。
【００３３】
この木質柱Ｃの下端部と上記柱受枠ｂとは次のようにして嵌着する。
柱受枠ｂの柱用芯板１と起立板１０を，木質柱Ｃの縦設溝２０と切欠段部２１に挿入または嵌合することにより，木質柱Ｃは，その下端部の底面と柱支持台ａの天板２との間に微細な隙間ｓがある近接状態になる（図３）。
さらに，柱用押当板ｄを，そのボルト孔１２・ ・ ・を横ボルト１１・ ・ ・に嵌めるとともに，上記楔受け片ｅ′を上記拡幅部２３′および切込み空処１４′に差し込みながら切欠段部２２に嵌合し，ボルト孔１２・ ・ ・から突出した横ボルト１１・ ・ ・にナット１３・ ・ ・を螺合緊締することにより，柱用押当板ｄを切欠段部２２の内面に密接する状態において，上記柱用芯板１の端面に取り付ける。（図４）。
【００３４】
その後，上記楔片ｆ，ｆ′を，上記起立板１０および柱用押当板ｄの窓孔１５，１５′を通じ，かつ，該楔片ｆ，ｆ′の傾斜面をなす上面１７，１７′を上記楔受け片ｅ，ｅ′の傾斜下面１６，１６′に沿わせながら，上記切込み空処１４，１４′と拡幅部２３，２３′に打設挿入し，これにより，木質柱Ｃの下端部を下降させ，その底面と天板２の上面との間の上記微細な隙間ｓを無くし，それらが強固に密接する状態とする（図４，５）。
【００３５】
さらに，木質柱Ｃのボルト用長孔２４，２４′と柱用芯板１の上記ボルト孔１９，１９′に，貫通ボルトｃ，ｃを貫通しナットｃ′，ｃ′により緊締する。
このようにして，木質柱Ｃの下端部と柱脚構造用金具Ａとが，上下，前後および左右のいずれにも偏倚しない一体的関係にして取り付けられ，かつ，木質柱Ｃは，その柱脚構造用金具Ａを介して布基礎Ｂ上に強固に起立保持されることになる（図６，７）。
【００３６】
上記構成の柱脚構造Ｄにおいて，木質柱Ｃに地震等による揺振力が加わった場合，木質柱Ｃの下端部と一体的関係をなしかつ柱支持台ａとも一体をなす柱受枠ｂが，その柱用芯板１および起立板１０と上記柱用押当板ｄが平面工の字形をなした状態において協働して対抗し，その木質柱Ｃにひび割れや座屈が発生するのが阻止される。
【００３７】
また，木質柱Ｃが，経年変化にともない柱受枠ｂの起立板１０や柱用芯板１との間の嵌合度または密着度に変化を生じたときには，貫通ボルトｃ，ｃに螺合しているナットｃ′，ｃ′や，横ボルト１１・・・に螺合しているナット１３・・・の緊締度を調整することにより，あるいはまた，木材製の楔片ｆ，ｆ′の打設挿入度を調整することにより，常に最も適切な状態を維持することができる。
【００３８】
なお，上記では，柱支持台ａとして，角形短筒体の内部を仕切り板６で左右または前後に仕切るものについて説明したが，強度をより一層強固にするために，角形短筒体の内部を十字に仕切ることも当然可能である。
【００３９】
次に，図８〜１４により，木造建築物における柱と梁（または桁，以下同じ。）の接合に使用する柱・梁接合構造用金具Ｅと，それを使用してなる柱・梁接合構造Ｆについて説明する。
【００４０】
まず，柱・梁接合構造用金具Ｅは，概括的には，長四角形の底板２５の長手方向一側の端縁２５′を残した内方部位に柱用押当板２６を設立してなるＬ形枠２７の内方中央において上記底板２５と柱用押当板２６との間に梁用芯板２８を設立支持するとともに，上記Ｌ形枠２７の外方中央において上記端縁２５′と柱用押当板２６との間に柱用芯板２９を設立支持してなる鋼材製の金具本体ｇ，長四角形の梁用当接板ｈ，柱用押当板ｉ，貫通ボルトｊ，ｊ，楔受け片ｋ，ｋ′および楔片ｌ，ｌ′等から構成される。
【００４１】
上記金具本体ｇは，上記梁用芯板２８の上端縁中央に切込み空処３０を形成するとともに，同梁用芯板２８の下縁中央には上記底板２５に設けた窓孔３１と連通する状態にした切込み空処３２形成している。
３３，３３は梁用芯板２８の中央部上下に設けたボルト孔，３４・ ・ ・は梁用芯板２８の上端面に植立した縦設ボルト，３５・ ・ ・は柱用芯板２９の外端面に植設した横設ボルトである。
【００４２】
上記梁用当接板ｈは，その中央に上記切込み空処３０と連通することになる窓孔３６を開設するとともに，その両外方に上記縦設ボルト３４・ ・ ・に嵌合することになる透孔３７・ ・ ・を開設している。  
上記柱用押当板ｉは，上記横設ボルト３５・・・に嵌合することになる透孔３８・ ・ ・を列設している。
上記貫通ボルトｊ，ｊは上記ボルト孔３３，３３に挿通される。
【００４３】
３９・ ・ ・は上記縦設ボルト３４・・・に螺合するナット，４０・ ・ ・は上記横設ボルト３５・ ・ ・に螺合するナット，４１，４１は上記貫通ボルトｊ，ｊに螺合するナットである。
【００４４】
楔受け片ｋは，上記窓孔３１と切込み空処３２にわたって縦設した鋼材製で楔受け片で，それは，垂直面と傾斜面４２を有し，その垂直面を窓孔３１と切込み空処３２の一側（上記柱用押当板２６とは反対側）内面に溶接等により外方に向けて取り付け，傾斜面４２を内方（上記柱用押当板２６側）に向けている。
【００４５】
楔受け片ｋ′は，上記梁用当接板ｈの窓孔３６に縦設した鋼材製で楔受け片で，それは，垂直面と傾斜面４３を有し，その垂直面を窓孔３６の一側（上記柱用押当板２６とは反対側）内面に溶接等により外方に向けて取り付け，傾斜面４３を内方（上記柱用押当板２６側）に向けている。
【００４６】
楔片ｌ，ｌ′は木材製の楔片で，これら楔片ｌ，ｌ′は，上記楔受け片ｋ，ｋを裏返しした形状をなし，一側面４４，４４′を傾斜面，他側面４５，４５′を垂直面としている。
【００４７】
次に，前記木質柱Ｃは，木質梁Ｇを接合する部分４６の中央内部に，柱・梁接合構造用金具Ｅの上記柱用芯板２９を受入する縦設溝４７を掘削形成している。
また，木質柱Ｃは，木質梁Ｇを接合する部分４６の外周面に，縦設溝４７の前後両端開口に連続する角形凹処４８，４９を対向する状態にして掘削形成している。４８′は上記角形凹処４８の下辺部分に連続形成した横溝である。
【００４８】
木質梁Ｇは，木質柱Ｃに接合する端部５０の中央内部に，柱・梁接合構造用金具Ｅの上記梁用芯板２８を受入する縦設溝５１を掘削形成している。
また，木質梁Ｇは，端部５０の上面と下面に，縦設溝５１の上下両開口に連続する角形凹処５２，５３を対向する状態にして掘削形成している。
【００４９】
５４は角形凹処５２に連続するようにして設けた縦設溝５１の拡幅部，５５は
同じく角形凹処５３に連続するようにして設けた同じく縦設溝５１の拡幅部であり，これら拡幅部５４と５５との間には，縦設溝５１を横断するようにしてボルト用長孔５６，５６を横設貫通させている。
【００５０】
本発明柱・梁接合構造Ｆは，木質柱Ｃに木質梁Ｇの端部５０を接合緊締してなるもので，それにはまず，上記構成の柱・梁接合構造用金具Ｅを木質柱Ｃに対し次のように取り付ける。
すなわち，上記金具本体ｇの柱用芯板２９を木質柱Ｃの縦設溝４７に受入させることにより，横設ボルト３５・・・を角形凹処４９に突出させ，かつ，柱用押当板２６を角形凹処４８に嵌入するとともに，底板２５の端縁２５′を横溝４８′に嵌入する（図１０）。
【００５１】
そして，上記柱用押当板ｇを上記角形凹処４９に嵌入し，横設ボルト３５・・・を透孔３８・・・から突出させ，その横設ボルト３５・・の各々にナット４０・・・を螺合し緊締する。
これにより，柱・梁接合構造用金具Ｅが木質柱Ｃの所定位置にしっかりと取り付け固定される（図１１）。
【００５２】
木質梁Ｇは，上記柱・梁接合構造用金具Ｅの金具本体ｅに対し次のように取り付けられる。
すなわち，木質梁Ｇの端部５０を金具本体ｇに向けその上方から降下させ，該端部５０の縦設溝５１を金具本体ｇの梁用芯板２８に嵌合させるとともに，該端部５０の底面の角形凹処５３を金具本体ｇの底板２５に嵌合し，かつ，梁用芯板２８に植立した縦設ボルト３４・・・を，縦設溝５１に連続する上記角形凹処５２を通じその上方に突出させる。
【００５３】
これにより，木質梁Ｇの端部５０の上記縦設溝５１の拡幅部５４，５５が，金具本体ｇの梁用芯板２８の切込み空処３０，３２に一致連通し，また，ボルト用長孔５６，５６が梁用芯板２８のボルト孔３３，３３にほぼ合致する。
【００５４】
さらに，上記梁用当接板ｈを，その透孔３７・ ・ ・を縦設ボルト３４・ ・ ・に嵌めるとともに，上記楔受け片ｋ′を上記拡幅部５４および切込み空処３０に差し込みながら切欠段部５２に嵌合し，透孔３７・ ・ ・から突出した縦設ボルト３４・ ・ ・にナット３９・ ・ ・を螺合緊締することにより，梁用当接板ｈを切欠段部５２に嵌着する。
【００５５】
その後，上記楔片ｌ，ｌ′を，上記底板２５および梁用当接板ｈの窓孔３１
および窓孔３６を通じ，かつ，該楔片ｌ，ｌ′の傾斜面４４，４４′を上記楔受け片ｋ，ｋ′の傾斜面４２，４３に沿わせながら，上記切込み空処３０，３２，と拡幅部５４，５５に打設挿入し，これにより，木質柱Ｃの対向側面に木質梁Ｇの端部５０を密接させる。このとき，木質梁Ｇのボルト用長孔５６，５６が梁用芯板２８のボルト孔３３，３３に完全一致する。
【００５６】
さらに，木質柱Ｇのボルト用長孔５６，５６と梁用芯板２８のボルト孔３３，３３に，貫通ボルトｊ，ｊを貫通しナット４１，４１により緊締する。
これによって，木質梁Ｇと木質柱Ｃが一体的関係においてしっかりと接合緊締され，所期の柱・梁接合構造Ｆが構成される（図１３，１４）。
【００５７】
上記構成の本発明柱・梁接合構造Ｆおいては，第１に，柱・梁接合構造用金具Ｅの金具本体ｇが，その柱用芯板２９を木質柱Ｃの縦設溝４９に受入させ，柱用押当板２６を角形凹処４８に嵌入し，かつ，底板２５の端縁２５′を横溝４８′に嵌入するとともに，柱用押当板ｉを角形凹処４９に嵌入し，それをナット４０・ ・ ・で緊締することにより，該柱・梁接合構造用金具Ｅが木質柱Ｃの所定位置に取り付け固定される。
【００５８】
第２に，その柱・梁接合構造用金具Ｅに対し，木質梁Ｇが，その端部５０の縦設溝５１を金具本体ｇの梁用芯板２８に嵌合させ，該端部５０の底面の角形凹処５３を金具本体ｇの底板２５に嵌合し，さらに，木材製の楔片ｌ，ｌ′を，その傾斜面４４，４４′を鋼材製の楔受け片ｋ，ｋ′の傾斜面４２，４３に沿わせながら，上記切込み空処３０，３２，と拡幅部５４，５５に打設挿入していることにより，木質柱Ｃの対向側面に木質梁Ｇの端部５０を強固に密接させる。
しかも，端部５０の角形凹処５２に嵌入した梁用当接板ｈを，ナット３９・ ・ ・により緊締し，その上，木質梁Ｇのボルト用長孔５６，５６に貫通した長ボルトｊ，ｊをナット４１，４１により緊締することにより，すなわち，上記柱・梁接合構造用金具Ｅを介して，木質梁Ｇが木質柱Ｃの所要部位に接合緊締される。
【００５９】
また，木質柱Ｃや木質梁Ｇが，経年変化にともない上記金具本体ｇの柱用芯板２９や梁用芯板２８との間の嵌合度または密着度に変化を生じたときには，当該ナットによる緊締度や木材製の楔片ｌ，ｌ′の打設挿入度を調整することにより，常に最も適切な状態を維持することができる。
【図面の簡単な説明】
【００６０】
【図１】本発明を構成する柱脚構造用金具の分解斜視図である。
【図２】柱用押当板を除く上記柱脚構造用金具を木質柱の下端に対向配置した状態の斜視図である。
【図３】上記柱脚構造用金具を木質柱の下端に取り付けている状態の斜視図である。
【図４】同上の縦断面図である。
【図５】同じく同上の断面図で，取付けを終えた状態を示す。
【図６】木質柱に取り付けた上記柱脚構造用金具の柱支持台を布基礎にアンカー止めした状態の一部縦断側面図である。
【図７】同上の斜視図である。
【図８】本発明を構成する柱・梁接合構造用金具の分解斜視図である。
【図９】木質柱の梁接合部の斜視図である。
【図１０】上記木質柱の梁接合部に柱・梁接合構造用金具を取り付けている状態の斜視図である。
【図１１】上記木質柱の梁接合部に取り付けた柱・梁接合構造用金具に梁を取り付けている状態の斜視図である。
【図１２】同上の楔片を打ち込んでいる状態の断面図である。
【図１３】同上の楔片の打込みによる緊締を終えた状態の断面図である。
【図１４】同上の斜視図である。
【図１５】上記柱脚構造用金具および柱・梁接合構造用金具からなる本発明接合緊締用金具による本発明木造建築物における接合緊締構造の透過斜視図である。
【符号の説明】
【００６１】
Ａ          柱脚構造用金具
Ｃ          木質柱
Ｄ          柱脚構造
Ｅ          柱・梁接合構造用金具
Ｆ          柱・梁接合構造
Ｇ          木質梁
ａ          柱支持台
ｂ          柱受枠
ｃ          貫通ボルト
ｃ′        ナット
ｄ          柱用押当板
ｅ，ｅ′    楔受け片
ｆ，ｆ′    楔片
ｇ          金具本体
ｈ          梁用当接板
ｉ          柱用押当板
ｊ          貫通ボルト
ｋ，ｋ′    楔受け片
ｌ，ｌ′    楔片
１          柱用芯板
２          天板
６          仕切り板
１０        起立板
１３        ナット
１４，１４′切込み空処
１５，１５′窓孔
１６，１６′傾斜下面
１７，１７′上面
１９，１９′ボルト孔
２０        縦設溝
２１        切欠段部
２２        切欠段部
２３，２３′拡幅部
２４，２４′ボルト用長孔
２５        底板
２５′      端縁
２６        柱用押当板
２７        Ｌ形枠
２８        梁用芯板
２９        柱用芯板
３０        切込み空処
３１        窓孔
３２        切込み空処
３３        ボルト孔
３４        縦設ボルト
３５        横設ボルト
３６        窓孔
３７        透孔
３８        透孔
３９        ナット
４０        ナット
４２        傾斜面
４３        傾斜面
４４，４４′一側面
４５，４５′他側面
４６        部分
４７        縦設溝
４８        角形凹処
４８′      横溝
４９        角形凹処
５０        端部
５１        縦設溝
５２        角形凹処
５３        角形凹処
５４        拡幅部
５５        拡幅部
５６        ボルト用長孔
【図１】
2007218042.tif 000003
【図２】
2007218042.tif 000004
【図３】
2007218042.tif 000005
【図４】
2007218042.tif 000006
【図５】
2007218042.tif 000007
【図６】
2007218042.tif 000008
【図７】
2007218042.tif 000009
【図８】
2007218042.tif 000010
【図９】
2007218042.tif 000011
【図１０】
2007218042.tif 000012
【図１１】
2007218042.tif 000013
【図１２】
2007218042.tif 000014
【図１３】
2007218042.tif 000015
【図１４】
2007218042.tif 000016
【図１５】
2007218042.tif 000017